(57)【要約】【課題】塵埃の悪臭を長期に渡って、効果的に脱臭できる電気掃除機用集塵袋を提供する。【解決手段】塵埃吸引用の開口部２ａを有すると共に電気掃除機（図示せず）内に装着される口芯２と、吸引された塵埃を捕集する袋状体４と、粒状又は粉状の脱臭剤（図示せず）を収納した収納ケース３と、収納ケース３に設けられ脱臭剤を排出すると共に開口部２ａに連通する排出口３ｄと、排出口３ｄを覆う覆部材５を備えたもので、塵埃吸引時の吸引風により、脱臭剤が排出口３ｄより排出され、それが塵埃と混合して袋状体４内に堆積することにより、塵埃と脱臭剤の接触面積が極めて広く、又脱臭剤が集塵袋１の廃棄或いは、袋状体４が空にされるまで残っているので、脱臭効果が大きくしかも長時間持続できると共に、運搬時に、覆部材５で排出口を覆うことにより、排出口３ｄから脱臭剤が漏れ出るのを防止でき、集塵袋１の使用時に支障をきたすことが無い。【選択図】図１
2006304934.tif 000002
【特許請求の範囲】
【請求項１】
塵埃吸引用の開口部を有すると共に電気掃除機内に装着される口芯と、前記開口部より吸引された塵埃を捕集する袋状体と、粒状又は粉状の脱臭剤を収納した収納ケースと、前記収納ケースに設けられ前記脱臭剤を排出すると共に前記開口部に連通する排出口と、前記排出口を覆う覆部材を備えた電気掃除機用集塵袋。
【請求項２】
覆部材を、着脱自在な蓋状体で形成した請求項１に記載の電気掃除機用集塵袋。
【請求項３】
覆部材に弾力性を持たせた請求項１又は２に記載の電気掃除機用集塵袋。
【請求項４】
覆部材の一部に、排出口に嵌合する嵌合部を設けた請求項１〜３のいずれか１項に記載の電気掃除機用集塵袋。
【請求項５】
覆部材の排出口に当接する側を軟質材で形成した請求項１〜４のいずれか１項に記載の電気掃除機用集塵袋。
【請求項６】
覆部材をテープ状に形成した請求項１に記載の電気掃除機用集塵袋。
【請求項７】
覆部材を膜状に形成した請求項１に記載の電気掃除機用集塵袋。
【請求項８】
電気掃除機に装着して前記電気掃除機を運転した時に、覆部材で覆われた排出口が露出する構成とした請求項１〜７のいずれか１項に記載の電気掃除機用集塵袋。
【請求項９】
覆部材を収納ケースから取り外す為のつまみ部を前記覆部材に形成した請求項１〜８のいずれか１項に記載の電気掃除機用集塵袋。
【請求項１０】
請求項１〜９のいずれか１項に記載の電気掃除機用集塵袋が装着される集塵室と、前記集塵室内に空気を吸引するための電動送風機を備えた電気掃除機。
【発明の詳細な説明】
【技術分野】
【０００１】
本発明は、電気掃除機用集塵袋及び電気掃除機に関するもので、特に、電気掃除機用集塵袋内に堆積した塵埃の脱臭に関するものである。
【背景技術】
【０００２】
従来の、電気掃除機用集塵袋内に堆積した塵埃の脱臭方法として、紙パックや集塵フィルターを形成する濾材に脱臭剤を含浸させて、その脱臭剤によって塵埃から発する臭いを脱臭するようにしたものがある（例えば、特許文献１参照）。又、電気掃除機の電気掃除機用集塵袋を収納する集塵室内空間に消臭芳香剤を設置したものも提案されている（例えば、特許文献２参照）。
【特許文献１】特開平５−７０８７１号公報
【特許文献２】特許第２８１００９０号公報
【発明の開示】
【発明が解決しようとする課題】
【０００３】
しかしながら、上記特許文献１に記載された従来の脱臭方法では、脱臭剤が紙パックや集塵フィルターの濾材のみに含浸されているだけなので、その濾材と塵埃との接触面積が少なく、かつ、接触時間も瞬間的であるため、十分な脱臭効果が得られない、という課題があった。そのため、上記従来の紙パックや集塵フィルターを装着した電気掃除機を運転した時に、塵埃の種類や蓄積期間によっては、電気掃除機からの排気風に混じって悪臭が発せられ、不快なものであった。
【０００４】
又、特許文献２に記載された構成は、集塵室内空間に消臭芳香剤を設置することで、集塵室内に消臭成分を飛散させて、電気掃除機用集塵袋内の塵埃の消臭を行い、運転時の排気臭を緩和させるようにしたものであるが、消臭芳香剤は、塵埃の臭気に別の香りを混合させて、排気臭を緩和するため、根本的な臭気の除去には至らず、吸引した塵埃の種類によっては、不快な異臭として電気掃除機から排気されるという課題を有していた。
【０００５】
また、前記従来の構成では、多量の塵埃を吸引して、長期に渡って保持できる集塵袋式掃除機では、吸引気流がほぼ全て塵埃中を通過するため、吸塵量の増加に従い、臭気発生量が増加し、集塵袋の許容量に近い状態では、臭気発生が大幅に増加するため、消臭芳香剤では、ほとんど消臭効果が得られないという課題を有していた。
【０００６】
本発明は、前記従来の課題を解決するもので、電気掃除機用集塵袋内の塵埃の量や、貯留期間に関係なく、電気掃除機使用時の排気に含まれる塵埃に起因する臭気を大幅に低減し、使用勝手の良い電気掃除機用集塵袋及び電気掃除機を提供することを目的とする。
【課題を解決するための手段】
【０００７】
前記従来の課題を解決するために、本発明の電気掃除機用集塵袋は、塵埃吸引用の開口部を有すると共に電気掃除機内に装着される口芯と、前記開口部より吸引された塵埃を捕集する袋状体と、粒状又は粉状の脱臭剤を収納した収納ケースと、前記収納ケースに設けられ前記脱臭剤を排出すると共に前記開口部に連通する排出口と、前記排出口を覆う覆部材を備えたもので、塵埃吸引時の吸引風により、収納ケース内の粒状又は粉状の脱臭剤が排出口より排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また電気掃除機用集塵袋の運搬時に、覆部材で排出口を覆うことにより、運搬時に、排出口から脱臭剤が漏れ出ることが無いので、電気掃除機用集塵袋の使用時に支障をきたすことが無い。
【０００８】
また、本発明の電気掃除機は、請求項１〜９のいずれか１項に記載の電気掃除機用集塵袋が装着される集塵室と、前記集塵室内に空気を吸引するための電動送風機を備えたもので、優れた脱臭性能を長期間にわたって発揮し、常に快適に使用することが出来る。
【発明の効果】
【０００９】
本発明の電気掃除機用集塵袋及び電気掃除機は、塵埃由来の悪臭が排気に含まれるのを大幅に低減し、かつ電気掃除機用集塵袋内の塵埃が許容量に達するまで長期に渡って脱臭効果を維持させることができる。
【発明を実施するための最良の形態】
【００１０】
第１の発明は、塵埃吸引用の開口部を有すると共に電気掃除機内に装着される口芯と、前記開口部より吸引された塵埃を捕集する袋状体と、粒状又は粉状の脱臭剤を収納した収納ケースと、前記収納ケースに設けられ前記脱臭剤を排出すると共に前記開口部に連通する排出口と、前記排出口を覆う覆部材を備えたもので、塵埃吸引時の吸引風により、収納ケース内の粒状又は粉状の脱臭剤が排出口より排出され、それが、吸引される塵埃と混合して袋状体内に堆積することにより、塵埃と脱臭剤の接触面積が極めて広く、しかも脱臭剤が、電気掃除機用集塵袋が廃棄或いは、袋状体が空にされるまで残っているので、脱臭効果が大きくしかも長時間持続できるので、常に快適に掃除を行うことができる。また電気掃除機用集塵袋の運搬時に、覆部材で排出口を覆うことにより、運搬時に、排出口から脱臭剤が漏れ出ることが無いので、電気掃除機用集塵袋の使用時に支障をきたすことが無い。
【００１１】
第２の発明は、特に、第１の発明の覆部材を、着脱自在な蓋状体で形成したもので、蓋部材の収納ケースや排出口への取り付け及び取り外しが容易にできる。
【００１２】
第３の発明は、特に、第１又は第２の発明の覆部材に弾力性を持たせたもので、蓋部材の収納ケースや排出口への取り付け及び取り外しが容易にできると共に、排出口の密閉性を向上させることができ、脱臭剤の洩れを確実に防止することができる。
【００１３】
第４の発明は、特に、第１〜３のいずれか一つの発明の覆部材の一部に、排出口に嵌合する嵌合部を設けたもので、排出口の密閉性を向上させることができるので、脱臭剤の洩れを確実に防止することができる。
【００１４】
第５の発明は、特に、第１〜４のいずれか一つの発明の覆部材の排出口に当接する側を軟質材で形成したもので、排出口の密閉性をさらに向上させることができるので、脱臭剤の洩れを一層確実に防止することができる。
【００１５】
第６の発明は、特に、第１の発明の覆部材をテープ状に形成したもので、覆部材の取り外しが容易にできる。
【００１６】
第７の発明は、特に、第１の発明の覆部材を膜状に形成したもので、覆部材の取り外しが容易にできる。
【００１７】
第８の発明は、特に、第１〜７のいずれか一つの発明の電気掃除機用集塵袋を電気掃除機に装着して前記電気掃除機を運転した時に、覆部材で覆われた排出口が露出する構成としたもので、覆部材で排出口を閉じたままで電気掃除機用集塵袋を電気掃除機に装着しても、運転を開始すると覆部材が自動的に排出口から外れるので、覆部材を取り外す手間が不要となり、使用勝手が良いものである。
【００１８】
第９の発明は、特に、第１〜８のいずれか一つの発明の覆部材を収納ケースから取り外す為のつまみ部を前記覆部材に形成したもので、つまみ部を引っ張るだけで覆部材を容易に取り外すことができる。
【００１９】
第１０の発明は、請求項１〜９のいずれか１項に記載の電気掃除機用集塵袋が装着される集塵室と、前記集塵室内に空気を吸引するための電動送風機を備えたもので、優れた脱臭性能を長期間にわたって発揮し、常に快適に掃除作業を行うことが出来る電気掃除機を提供することが出来る。
【００２０】
以下、本発明の実施の形態について、図面を参照しながら説明する。なお、この実施の形態によって本発明が限定されるものではない。
【００２１】
（実施の形態１）
以下に、本発明の第１の実施の形態における電気掃除機用集塵袋について、図１〜５を用いて説明する。
【００２２】
図１は、本実施の形態における電気掃除機用集塵袋の展開斜視図で、図２は、同電気掃除機用集塵袋の覆部材の斜視図、図３は、同電気掃除機用集塵袋の収納ケースの断面図、図４は、同電気掃除機用集塵袋の要部断面図、図５は、同電気掃除機用集塵袋を搭載した電気掃除機の全体斜視図である。
【００２３】
図１〜４において、本実施の形態における電気掃除機用集塵袋１（以下“集塵袋１”という）は、塵埃吸引用の開口部２ａを有し、紙材又は樹脂材からなる口芯２と、口芯２の裏面（電気掃除機に装着した時に、吸引風の下流側になる面）に取着されると共に粒状又は粉状の脱臭剤３ａ（図面では誇張して記載しているが実際は数ミクロンのもの）を収納する収納ケース３と、前面に塵埃吸引用の吸引口４ａを有し、紙や布などからなる濾材で袋状に形成された袋状体４から構成されている。本実施の形態では、袋状体４を紙材で形成し、収納ケース３の裏面に接着して取り付けている。
【００２４】
収納ケース３は、口芯２の開口部２ａと連通する開口部３ｂを備え、その開口部３ｂを形成すると共に口芯２の開口部２ａから流入する吸引風の流れと平行な内周面３ｃには、収納ケース３の内部と開口部３ｂとを連通し、内部に収納された脱臭剤３ａが排出される排出口３ｄが、本実施例では開口部3bの左右に夫々設けられている。また、収納ケース３の上端には、収納ケース３内に脱臭剤３ａを充填投入した後に閉じられる蓋３ｅが設けられている（図は、蓋３ｅを閉じた状態を示している）。
【００２５】
収納ケース３には、図３（ｂ）、図４（ｂ）に示すように、運搬時に脱臭剤３ａが排出口３ｄから洩れるのを防止する為の覆部材５が、同排出口３ｄを覆うように蓋状にして設けている。さらに、覆部材５の固定位置決めの為の規制部３ｆが排出口３ｄの下方近傍に設けられている。
【００２６】
覆部材５は、弾性復元力を有する樹脂等の弾性材で略Ｕ字状に形成され、排出口３ｄに当接する側の面に排出口３ｄを密閉する軟質部材５ａ（図面ではその一部が弾性変形して排出口３ｄに突出してこれを密閉している状態を示している）を備え、開口部３ｂ側には覆部材５を取り外す為に指で摘んで引張ることができるつまみ部５ｂを形成している。集塵袋１の組み立ての際には、言うまでもなく、口芯２の開口部２ａと、収納ケース３の開口部３ｂ及び袋状体４の吸引口４ａが連通するように、それぞれの位置を合致させて取着される。
【００２７】
本実施の形態では、脱臭剤３ａとして、取り扱いの容易なゼオライトを使用している。
【００２８】
上記構成により、集塵袋１の梱包時に、弾性復元力を有する樹脂等の弾性材で形成された覆部材５で、収納ケース３に設けた排出口３ｄを覆うようにしたことにより、集塵袋１の運搬時に、収納ケース３から脱臭剤３ａが漏れ出ることが無いので、集塵袋１の使用時に支障をきたすことが無い。
【００２９】
また、覆部材５を、弾性材で形成しているので、開口部３ｂ、排出口３ｄへの取り付け、取り外しが容易になると共に、排出口３ｄの密閉性が向上するので、収納ケース３内の脱臭剤３ａの脱臭性能が、集塵袋１の保管時に低下することがない。
【００３０】
なお、上記覆部材５は排出口３ｄを覆う形状のものであればどのようなものであっても良く、例えばリング状等種々のものが考えられる。また、排出口３ｄを覆う覆部材５の密閉性を向上させることにより湿気が進入して固形化するのを防止することができ、長期間に渡って粒状或いは粉状に維持して確実に供給可能な状態に維持することが出来る。
【００３１】
次に、本実施の形態における集塵袋１が装着される電気掃除機について、図５を用いて説明する。
【００３２】
電気掃除機本体６（以下“掃除機本体６”という）は、後部側面に走行用の後輪７が一対、前部底部に同じく走行用の前輪キャスター８が設けられている。掃除機本体６の前面には、集塵袋１が装着される集塵室（図示せず）に連通する吸気口１０が設けられ、この吸気口１０にホース１１の一端に設けた接続パイプ１１ａが接続され、ホース１１の他端には、運転操作用のスイッチ１１ｃを有し電気掃除機を使用する際に操作する先端パイプ１１ｂが設けられている。さらに先端パイプ１１ｂは、延長管１２を介して床用吸い込み具１３に接続される。掃除機本体６の後部には、吸引力を発生させる電動送風機（図示せず）が内蔵され、後壁には前記電動送風機からの排気を排出する排気口（図示せず）が設けられている。
【００３３】
次に、本実施の形態における集塵袋１を装着した電気掃除機の作用、動作について述べる。
【００３４】
掃除機本体６から導出した電源コード（図示せず）のプラグ（図示せず）を壁コンセント（図示せず）に差し込み、先端パイプ１１ｂに設けたスイッチ１１ｃを操作すると、電動送風機の運転が開始し、それによって発生した吸引力が、集塵袋１が装着された集塵室、ホース１１、延長管１２を経て、床用吸い込み具１３の底面に設けた吸い込み口（図示せず）に作用し、周囲の空気と共に、床面の塵埃が吸引される。
【００３５】
床用吸い込み具１３の吸い込み口から流入した空気は吸引風となって、塵埃と共に、延長管１２、ホース１１、吸気口１０を経て、口芯２の開口部２ａ、収納ケース３の開口部３ｂ、袋状体４の吸引口４ａを通って、袋状体４内に流入し、そこで塵埃が捕集され、きれいになった空気が、電動送風機を通って、排気口から外部に排出される。
【００３６】
そして、塵埃を含んだ吸引風が、収納ケース３の開口部３ｂを通過する際に、図４（ｂ）に示すように、排出口３ｄを通して収納ケース３内にエゼクター効果による吸引力が作用し、内部に収納された粒状又は紛状の脱臭剤３ａが排出口３ｄから排出され、その排出された脱臭剤３ａが塵埃と交じり合いながら、袋状体４内に入り奥側（電動送風機側）から堆積していく。
【００３７】
このとき塵埃はミクロ的に観察すると、個々の塵埃の外周が粒状或いは粉状の脱臭剤３ａで囲まれたような形となるため、塵埃と脱臭剤３ａとの接触面積が極めて広いものとなり、かつ、集塵袋１内で、塵埃が脱臭剤３ａで囲まれたような形で保持されるようになる。その結果、脱臭剤３ａの脱臭効果は遺憾なく発揮され、臭気は大幅に低減する。例えば臭気の強い犬・猫の毛を集めたものを吸引させて掃除機本体６からの排気風の臭いを嗅いで見たが、その臭いはほとんど感じない程度まで低減されていた。
【００３８】
また、脱臭剤３ａは、集塵袋１が廃棄或いは、袋状体４が空にされるまで塵埃と共に残っているので、脱臭効果が大きくしかも長時間持続できるので、常に快適に掃除を行うことができる。さらに、脱臭剤３ａの粒径或いは粉径を、袋状体４の空気が通過する細孔（袋状体４を形成する紙材や布材の繊維間の隙間）より大きく設定するようにすれば、塵埃と共に吸引された脱臭剤３ａが、袋状体４の細孔を通り抜けることが無く、脱臭剤３ａによる脱臭効果をより長期間に渡って維持することができる。
【００３９】
また、脱臭剤３ａを形成するゼオライトに疎水性加工を施せば、粒状又は粉状のゼオライトが、集塵袋１の保管時或いは、使用時に周囲の湿気を吸引して団子状になったりすることが無く、脱臭剤３ａの、収納ケース３の排出口３ｄからの排出性が悪くなり脱臭性能が低下することが無い。
【００４０】
また、収納ケース３を、口芯２の下流側に設けたことにより、収納ケース３を備えていない従来の集塵袋を使用する電気掃除機にも使用できるので、互換性に優れ、集塵袋１の製造や在庫管理が簡素化される。
【００４１】
また、口芯２と、収納ケース３と、袋状体４のそれぞれを可燃材料で形成することにより、集塵袋１を廃棄する際、材料分別する必要が無く、一般の燃えるごみとして廃棄できるので、後始末が簡単でしかも衛生的である。
【００４２】
また、可燃材料として、紙材を用いれば、材料コストが安く、また成型用の金型が不要なので、量産性に優れ、トータルコストを大きく低減することができる。
【００４３】
さらに、粒状又は粉状の脱臭剤３ａに帯電防止加工を施せば、集塵袋１の運搬時或いは、集塵袋１を装着した掃除機本体６の移動や使用時に、収納ケース３内の粒状又は粉状の脱臭剤３ａが振動で互いに擦りあっても静電気を帯びることがないので、互いにくっつきあって、排出口３ｄから出にくくなることが無く、常に優れた脱臭効果を発揮することが出来る。
【００４４】
また、収納ケース３の、流入する空気の流れと平行な内周面３ｃに排出口３ｄを設けたことにより、収納ケース３内の粒状又は粉状の脱臭剤３ａが、吸引風のエゼクター効果による吸引作用により排出口３ｄから途切れることなく、しかも効率的に排出され、高い脱臭効果を発揮することが出来る。また、上記エゼクター効果は、吸引流速に応じて変化するので、吸引風量が多い、すなわち吸塵量が多い時には大きく、吸引風量が少ない、すなわち吸塵量が少ない時には少なくなる。すなわち脱臭剤３ａは、吸塵量に応じて自動的に供給量が変わるので無駄なく且つ効果的に脱臭効果を発揮することになる。
【００４５】
本実施の形態では、袋状体４を収納ケース３の裏面に接着して取り付けたが、口芯２の裏面に接着等で取り付けてもよく、コストや集塵袋１の組み立て性を考慮して適宜決められるものである。
【００４６】
又本実施の形態では、袋状体４を紙材で形成したが、布材で形成し、さらに開閉自在の塵埃廃棄用の廃棄口（図示せず）を下流側端部に設け、袋状体４が塵埃で一杯になったら、前記廃棄口を開けて、中の塵埃を捨て、再度使うようにしても良い。この場合は、塵埃の廃棄の都度或いは、数回の塵埃の廃棄ごとに、収納ケース３に脱臭剤３ａを補充する必要があるので、収納ケース３の蓋３ｅを開閉自在にしておき、使用者が必要に応じて脱臭剤３ａを補充できるようにしておくと良い。さらに、収納ケース３を、透明または半透明材料で形成すれば、内部の脱臭剤３ａの残量が容易に外部から確認できるので、使用途中で脱臭剤３ａが切れたりすることがなく使用勝手が向上する。
【００４７】
なお、上記のように、収納ケース３を透明または半透明材料で形成すれば、脱臭剤３ａが入っている部分の前後に発光素子（図示せず）と受光素子（図示せず）を対向して設けて、脱臭剤３ａの残量を検知し、少なくなったら、その旨を、音、光、振動等で使用者に報知するようにすれば、さらに使用勝手が良くなるものである。
【００４８】
（実施の形態２）
図６は、本発明の第２の実施の形態における電気掃除機用集塵袋の収納ケースの斜視図、図７は、同電気掃除機用集塵袋の覆部材の斜視図、図８は、同電気掃除機用集塵袋の収納ケースの断面図、図９は、同電気掃除機用集塵袋の要部断面図である。なお、上記第１の実施の形態における電気掃除機用集塵袋と同一部分については、同一符号を付してその説明を省略する。
【００４９】
本実施の形態は、図６〜９に示すように、覆部材５を、弾性復元力を有する樹脂等の弾性材でリング状に形成し、排出口３ｄに当接する側の面に排出口３ｄに嵌合し、密閉する嵌合部５ｃを備え、開口部３ｂ側に覆部材５を取り外す為に指で摘んで引張ることができるつまみ部５ｂを形成したものである。
【００５０】
集塵袋１の組み立ての際には、言うまでもなく、口芯２の開口部２ａと、収納ケース３の開口部３ｂ及び袋状体４の吸引口４ａが連通するように、それぞれの位置を合致させて取着される。
【００５１】
上記構成により、集塵袋１の梱包時に、弾性復元力を有する樹脂等の弾性材で形成された覆部材５で、収納ケース３に設けた排出口３ｄを覆うことにより、集塵袋１の運搬時に、収納ケース３の排出口３ｄから脱臭剤３ａが漏れ出ることが無く、集塵袋１の使用時に支障をきたすことが無い。
【００５２】
また、覆部材５を、弾性材で形成しているので、開口部３ｂ、排出口３ｄへの取り付け、取り外しが容易になると共に、排出口３ｄの密閉性が向上するので、収納ケース３内の脱臭剤３ａの脱臭性能が、集塵袋１の保管時に低下することがない。なお、上記覆部材５は排出口３ｄを覆う形状のものであればどのようなものであっても良く、例えば略Ｕ字状等種々のものが考えられる。また、排出口３ｄを覆う覆部材５の密閉性を向上させることにより湿気が進入して固形化するのを防止することができ、長期間粒状或いは粉状に維持して確実に供給可能な状態に維持することが出来る。
【００５３】
（実施の形態３）
図１０は、本発明の第３の実施の形態における電気掃除機用集塵袋の収納ケースの斜視図、図１１は、同電気掃除機用集塵袋の要部断面図である。なお、上記第１の実施の形態における電気掃除機用集塵袋と同一部分については、同一符号を付してその説明を省略する。
【００５４】
本実施の形態は、図１０、１１に示すように、覆部材５をテープ状に形成すると共に、収納ケース３の内周面３ｃに接着固定するようにしたものである。覆部材５の端部には覆部材５を取り外す為に指で摘んで引張ることができるつまみ部５ｂを形成している。
【００５５】
上記構成により、集塵袋１の運搬時に、収納ケース３から脱臭剤３ａが漏れ出ることが無いので、集塵袋の使用時に支障をきたすことが無い。また、覆部材５を、テープ状で形成し、つまみ部５ｂを設けているので、排出口３ｄへの取り付け、取り外しが容易になると共に、排出口３ｄの密閉性が向上するので、収納ケース３内の脱臭剤３ａの脱臭性能が、集塵袋１の保管時に低下することがない。
【００５６】
また、排出口３ｄを覆う覆部材５の密閉性を向上させることにより湿気が進入して固形化するのを防止することができ、脱臭剤３ａを長期間粒状或いは粉状に維持して確実に供給可能な状態に維持することが出来る。
【００５７】
（実施の形態４）
図１２は、本発明の第４の実施の形態における電気掃除機用集塵袋の断面図である。なお、上記第１の実施の形態における電気掃除機用集塵袋と同一部分については、同一符号を付してその説明を省略する。
【００５８】
本実施の形態は、図１２に示すように、覆部材５をテープ状に形成し、それを収納ケース３の内周面３ｃに接着固定すると共に、覆部材５の端部あるいは一部と袋状体４の内面とを接続する接続体９を形成したものである。
【００５９】
上記構成により、集塵袋１の運搬時に、収納ケース３から脱臭剤３ａが漏れ出ることが無いので、集塵袋１の使用時に支障をきたすことが無い。また、覆部材５を、テープ状に形成しているので、排出口３ｄへの取り付けが容易になると共に、排出口３ｄの密閉性が向上するので、収納ケース３内の脱臭剤３ａの脱臭性能が、集塵袋１の保管時に低下することがない。
【００６０】
さらに、覆部材５を付けたまま集塵袋１を掃除機本体６へ装着し運転を開始すると、袋状体４は、吸引風の圧力で掃除機本体６の後方側へ引張られると同時に、覆部材５に設けた接続体９も後方へ引張られる為、覆部材５が収納ケース３の内周面３ｃから剥がれ、排出口３ｄが露出し、そこから脱臭剤３ａが排出されるので、覆部材５を取り外す手間が不要になり、使用勝手が良く快適に掃除作業を行うことができる。
【００６１】
（実施の形態５）
図１３は、本発明の第５の実施の形態における電気掃除機用集塵袋の収納ケースの斜視図、図１４は、同電気掃除機用集塵袋の要部断面図である。なお、上記実施の形態における電気掃除機用集塵袋と同一部分については、同一符号を付してその説明を省略する。
【００６２】
本実施の形態は、図１３、１４に示すように、覆部材５を膜状に形成し、収納ケース３の内周面３ｃに接着固定すると共に、覆部材５の略中央部に、覆部材５を取り外す為に指で摘んで引張ることができるつまみ部５ｂを形成したものである。
【００６３】
上記構成により、集塵袋１の運搬時に、収納ケース３から脱臭剤３ａが漏れ出ることが無いので、集塵袋１の使用時に支障をきたすことが無い。また、覆部材５を、膜状で形成し、つまみ部５ｂを設けているので、排出口３ｄへの取り付け、取り外しが容易になると共に、排出口３ｄの密閉性が向上するので、収納ケース３内の脱臭剤３ａの脱臭性能が、集塵袋１の保管時に低下することがない。
【００６４】
また、排出口３ｄを覆う覆部材５の密閉性を向上させることにより湿気が進入して固形化するのを防止することができ、脱臭剤３ａを長期間粒状或いは粉状に維持して確実に供給可能な状態に維持することが出来る。
【００６５】
（実施の形態６）
図１５は、本発明の第６の実施の形態における電気掃除機用集塵袋の断面図である。なお、上記実施の形態における電気掃除機用集塵袋と同一部分については、同一符号を付してその説明を省略する。
【００６６】
本実施の形態は、図１５に示すように、覆部材５を膜状に形成し、収納ケース３の内周面３ｃに接着固定すると共に、覆部材５の略中央部と袋状体４の内面とを接続する接続体９を形成したものである。
【００６７】
上記構成により、集塵袋１の運搬時に、収納ケース３から脱臭剤３ａが漏れ出ることが無いので、集塵袋１の使用時に支障をきたすことが無い。また、覆部材５を、膜状で形成しているので、排出口３ｄへの取り付けが容易になると共に、排出口３ｄの密閉性が向上するので、収納ケース３内の脱臭剤３ａの脱臭性能が、集塵袋１の保管時に低下することがない。
【００６８】
また、排出口３ｄを覆う覆部材５の密閉性を向上させることにより湿気が進入して固形化するのを防止することができ、脱臭剤３ａを長期間粒状或いは粉状に維持して確実に供給可能な状態に維持することが出来る。
【００６９】
さらに、この集塵袋１を使用する時は、覆部材５を付けたままで集塵袋１を掃除機本体６へ装着し運転を開始すると、袋状体４が掃除機本体６の後方へ引張られると同時に覆部材５に設けた接続体９も後方へ引張られる為、覆部材５が収納ケース３の内周面３ｃから剥がれ、排出口３ｄが露出し、そこから脱臭剤３ａが排出されるようになるので、覆部材５を取り外す手間が不要であり、使用勝手が良く、快適に掃除作業を行うことができる。
【００７０】
また、上記第１〜６の実施の形態で説明した集塵袋１を電気掃除機に使用することにより、優れた脱臭性能を長期間にわたって発揮し、常に快適に、また楽しく掃除作業を行うことができるものである。
【００７１】
なお、上記実施の形態では、脱臭剤３ａとしてゼオライトを用いたが、吸着剤を用い、塵埃由来の臭気物質である低級脂肪酸類、アンモニア、アルデヒド等様々な臭気に対して吸着効果のある活性炭を用いても良い。
【００７２】
さらに、上記脱臭剤３ａに抗菌剤または芳香剤を混合させることも可能である。抗菌剤の抗菌材料としては、無機系としては、銀系、亜鉛系、銅系、有機系としては、イソチオシアン酸アリル類、カテキン類等を用いるが、細菌、真菌に対して優れた抗菌効果を発揮し、特に銀系は、少量で高い抗菌効果を発揮する点で特に好ましく、脱臭とともに殺菌作用も得ることが出来て安全性の向上も図れる。
【００７３】
ところで、長期旅行等により電気掃除機をしばらく放置した後に、掃除を行う際、収納ケース３内の脱臭剤３ａが吸湿により固まって、脱臭剤３ａの排出がスムーズに行われないケースが起こりうる。これを解決するために、収納ケース３に強制的に振動を与える振動手段（図示せず）を設け、この振動手段を、掃除機本体６の運転開始時に動作させるようにしても良い。なお、振動手段は、特に図示しないが、電気で振動する振動素子や、電源コードの引き出し操作或いは、後輪７の回転に機械的に連動して収納ケース３に振動を加える振動体などで形成すると良い。
【００７４】
又、集塵袋１の袋状体４の少なくとも一部に振動を与える振動手段を設けて、その振動手段を定期的或いは、不定期に動作させるようにすれば、袋状体４内の塵埃と脱臭剤３ａが揺すられ、相互間の接触状態が変わり、より効果的に脱臭することが出来る。
【００７５】
なお、袋状体４に振動を加える振動手段としては、上述の収納ケース３に振動を加える振動手段と同じ構成でも良い。
【産業上の利用可能性】
【００７６】
以上のように、本発明の電気掃除機用集塵袋及び電気掃除機は、塵埃と脱臭剤との接触面積及び接触時間が従来に比べ飛躍的に多くなり、その結果脱臭効果は著しく良好なものとなり、また輸送時に覆部材により脱臭剤が漏れることが無いもので、電気掃除機に限らず、臭気を発する生ゴミ処理機等各種機器等にも広く適用できる。
【図面の簡単な説明】
【００７７】
【図１】本発明の実施の形態１における電気掃除機用集塵袋の展開斜視図
【図２】同電気掃除機用集塵袋の覆部材の斜視図
【図３】（ａ）同電気掃除機用集塵袋の収納ケースの断面図（覆部材取付前）（ｂ）同収納ケースの断面図（覆部材取付後）
【図４】（ａ）同電気掃除機用集塵袋の要部断面図（覆部材取付前）（ｂ）同集塵袋の要部断面図（覆部材取付後）
【図５】同電気掃除機用集塵袋を搭載した電気掃除機の全体斜視図
【図６】本発明の実施の形態２における電気掃除機用集塵袋の収納ケースの斜視図
【図７】同電気掃除機用集塵袋の覆部材の斜視図
【図８】同電気掃除機用集塵袋の収納ケースの断面図
【図９】同電気掃除機用集塵袋の要部断面図
【図１０】本発明の実施の形態３における電気掃除機用集塵袋の収納ケースの斜視図
【図１１】同電気掃除機用集塵袋の要部断面図
【図１２】本発明の実施の形態４における電気掃除機用集塵袋の断面図
【図１３】本発明の実施の形態５における電気掃除機用集塵袋の収納ケースの斜視図
【図１４】同電気掃除機用集塵袋の要部断面図
【図１５】本発明の実施の形態６における電気掃除機用集塵袋の断面図
【符号の説明】
【００７８】
１    電気掃除機用集塵袋（集塵袋）
２    口芯
２ａ  開口部
３    収納ケース
３ａ  脱臭剤
３ｄ  排出口
４    袋状体
５    覆部材
６    電気掃除機本体（掃除機本体）
【図１】
2006304934.tif 000003
【図２】
2006304934.tif 000004
【図３】
2006304934.tif 000005
【図４】
2006304934.tif 000006
【図５】
2006304934.tif 000007
【図６】
2006304934.tif 000008
【図７】
2006304934.tif 000009
【図８】
2006304934.tif 000010
【図９】
2006304934.tif 000011
【図１０】
2006304934.tif 000012
【図１１】
2006304934.tif 000013
【図１２】
2006304934.tif 000014
【図１３】
2006304934.tif 000015
【図１４】
2006304934.tif 000016
【図１５】
2006304934.tif 000017